(57)【特許請求の範囲】
【請求項１】
記録用紙に画像データに基づく画像の記録を行う記録部と、
原稿に記された画像の読み取りを行う読取部と、
記録用紙を載置するための第１載置部と、
前記第１載置部に記録用紙が載置されているときは前記第１載置部の状態としてＯＮ状態を検出し、前記第１載置部に記録用紙が載置されていないときは前記第１載置部の状態としてＯＦＦ状態を検出する第１検出部と、
原稿を載置するための第２載置部と、
前記第２載置部に原稿が載置されているときは前記第２載置部の状態としてＯＮ状態を検出し、前記第２載置部に原稿が載置されていないときは前記第２載置部の状態としてＯＦＦ状態を検出する第２検出部と、
画像データを記憶する記憶装置が接続可能であり、記憶装置が接続されているときはＯＮ状態を検出し、記憶装置が接続されていないときはＯＦＦ状態を検出する接続部と、
表示部と、
制御部と、
を備え、
前記制御部は、
前記第１検出部によって検出される前記第１載置部の状態の、ＯＦＦ状態からＯＮ状態への切り替わりと、前記第２検出部によって検出される前記第２載置部の状態の、ＯＦＦ状態からＯＮ状態への切り替わりと、前記接続部によって検出される状態の、ＯＦＦ状態から、ＯＮ状態への切り替わりとの３つの切り替わりのうちの何れか１つ切り替わりを特定した場合に、前記第１載置部と前記第２載置部と前記接続部とのうちの当該１つの切り替わりが特定された第１対象部と、当該第１対象部とは異なる、前記第１載置部と前記第２載置部と前記接続部とのうちの第２対象部とを利用して実行することが可能な処理である対象処理を示す情報と、前記第２対象部を報知する第１報知情報を、前記表示部に表示させる第１表示制御手段と、
前記第１表示制御手段により前記第１報知情報が前記表示部に表示されている状態で、前記第２対象部の状態のＯＦＦ状態からＯＮ状態への切り替わりを特定した場合に、前記対象処理の実行指令を受け付けるための受付画面を、前記表示部に表示させる第２表示制御手段と、
を有することを特徴とする画像処理装置。
【請求項２】
前記第１表示制御手段は、
前記第１報知情報を、設定時間だけ前記表示部に表示させることを特徴とする請求項１に記載の画像処理装置。
【請求項３】
ユーザ操作に応じた出力を行う操作部をさらに備え、
前記第１表示制御手段は、
前記３つの切り替わりのうちの何れか１つ切り替わりを特定した際に、前記第２対象部の状態が設定時間以上ＯＮ状態であることが検出されている場合には、前記対象処理の前記受付画面を前記表示部に表示させるためのアイコンを、前記表示部に表示させ、
前記第２表示制御手段は、
前記第１表示制御手段により表示された前記アイコンに対する選択を示す入力を前記操作部から受信したことに応じて、前記受付画面を前記表示部に表示させることを特徴とする請求項１又は２に記載の画像処理装置。
【請求項４】
前記第２表示制御手段は、
前記３つの切り替わりのうちの何れか１つの切り替わりを特定した際に、前記第２対象部の状態が設定時間以上ＯＮ状態であることが検出されている場合に、前記設定時間以内に、当該第２対象部の状態ＯＮ状態からＯＦＦ状態に切り替わった後に、再度、ＯＮ状態となったことを条件として、前記受付画面を、前記表示部に表示させることを特徴とする請求項１乃至３の何れか１項に記載の画像処理装置。
【請求項５】
前記第１表示制御手段は、
前記３つの切り替わりのうちの何れか１つの切り替わりが特定された際に、前記第２対象部の状態が設定時間以上ＯＮ状態であることが検出されている場合に、当該第２対象部がＯＮ状態からＯＦＦ状態に切り替えられた後に、再度、ＯＮ状態とされることで、前記表示部に前記受付画面が表示されることを報知する第２報知情報を、前記表示部に表示させることを特徴とする請求項１乃至４の何れか１項に記載の画像処理装置。
【請求項６】
前記第１表示制御手段は、
前記３つの切り替わりのうちの何れか１つの切り替わりが特定された際に、前記第２対象部の状態が設定時間以上ＯＮ状態であることが検出されている場合に、前記第１対象部と前記第２対象部との両方を利用して実行することが可能な対象処理である第１対象処理を示す情報と、前記第１載置部と前記第２載置部と前記接続部とのうちの前記第１対象部及び前記第２対象部以外のものである第３対象部と前記第１対象部との両方を利用して実行することが可能な対象処理である第２対象処理を示す情報とを、前記第２対象処理を示す情報を前記第１対象処理を示す情報より優先した状態で、前記表示部に表示させることを特徴とする請求項１乃至５の何れか１項に記載の画像処理装置。
【請求項７】
前記対象処理は、
前記読取部により読み取られた原稿の画像を、前記記録部により印刷用紙に記録するコピー処理と、前記接続部に装着された記憶装置に記憶されている画像データに基づく画像を、前記記録部により印刷用紙に記録する印刷処理と、前記読取部により読み取られた原稿の画像の画像データを、前記接続部に装着された記憶装置に記憶させる記憶処理とのうちの少なくとも１つであり、
前記対象処理が前記コピー処理である場合に、前記第１対象部は、第１載置部と第２載置部との一方であり、前記第２対象部は、第１載置部と第２載置部との他方であり、
前記対象処理が前記印刷処理である場合に、前記第１対象部は、第１載置部と接続部との一方であり、前記第２対象部は、第１載置部と接続部との他方であり、
前記対象処理が前記記憶処理である場合に、前記第１対象部は、接続部と第２載置部との一方であり、前記第２対象部は、接続部と第２載置部との他方であることを特徴とする請求項１乃至６の何れか１項に記載の画像処理装置。
【請求項８】
記録用紙に画像データに基づく画像の記録を行う記録部と、原稿に記された画像の読み取りを行う読取部と、記録用紙を載置するための第１載置部と、前記第１載置部に記録用紙が載置されているときは前記第１載置部の状態としてＯＮ状態を検出し、前記第１載置部に記録用紙が載置されていないときは前記第１載置部の状態としてＯＦＦ状態を検出する第１検出部と、原稿を載置するための第２載置部と、前記第２載置部に原稿が載置されているときは前記第２載置部の状態としてＯＮ状態を検出し、前記第２載置部に原稿が載置されていないときは前記第２載置部の状態としてＯＦＦ状態を検出する第２検出部と、画像データを記憶する記憶装置が接続可能であり、記憶装置が接続されているときはＯＮ状態を検出し、記憶装置が接続されていないときはＯＦＦ状態を検出する接続部と、表示部とを備えた画像処理装置のコンピュータが読み取り可能な制御プログラムであって、
前記コンピュータを、
前記第１検出部によって検出される前記第１載置部の状態の、ＯＦＦ状態からＯＮ状態への切り替わりと、前記第２検出部によって検出される前記第２載置部の状態の、ＯＦＦ状態からＯＮ状態への切り替わりと、前記接続部によって検出される状態の、ＯＦＦ状態から、ＯＮ状態への切り替わりとの３つの切り替わりのうちの何れか１つ切り替わりを特定した場合に、前記第１載置部と前記第２載置部と前記接続部とのうちの当該１つの切り替わりが特定された第１対象部と、当該第１対象部とは異なる、前記第１載置部と前記第２載置部と前記接続部とのうちの第２対象部とを利用して実行することが可能な処理である対象処理を示す情報と、前記第２対象部を報知する第１報知情報を、前記表示部に表示させる第１表示制御手段と、
前記第１表示制御手段により前記第１報知情報が前記表示部に表示されている状態で、前記第２対象部の状態のＯＦＦ状態からＯＮ状態への切り替わりを特定した場合に、前記対象処理の実行指令を受け付けるための受付画面を、前記表示部に表示させる第２表示制御手段と、
して機能させることを特徴とする制御プログラム。
【発明の詳細な説明】
【技術分野】
【０００１】
本発明は、複数の画像処理を実行可能な画像処理装置、および、その画像処理装置のコンピュータが読み取り可能な制御プログラムに関する。
【背景技術】
【０００２】
記録用紙に画像データに基づく画像の記録を行う記録部と、原稿に記された画像の読み取りを行う読取部と、画像データを記憶する記憶装置が接続される接続部とを備えた画像処理装置では、読取部により読み取られた原稿の画像を、記録部により印刷用紙に記録するコピー処理、接続部に装着された記憶装置、例えば、ＵＳＢメモリに記憶されている画像データに基づく画像を、記録部により印刷用紙に記録するメディア印刷処理、読取部により読み取られた原稿の画像の画像データを、接続部に装着されたＵＳＢメモリに記憶させるスキャンｔｏメディア処理等の複数の処理を実行することが可能である。このような画像処理装置では、下記特許文献に記載されているように、記録部、読取部、接続部等の対象部の状態に応じて、複数の処理の中から、ユーザの実行対象の処理を推定するための技術が開発されている。
【先行技術文献】
【特許文献】
【０００３】
【特許文献１】特開２００７−２８１７９号公報
【発明の概要】
【発明が解決しようとする課題】
【０００４】
上記特許文献に記載の画像処理装置では、複数の処理の中から、ユーザの実行対象の処理を推定することで、画像処理装置の操作性は、ある程度、向上する。しかしながら、上記特許文献に記載の技術では、原稿の有無、メディアの有無など、静的な情報のみを用いているので、ユーザの実行対象の処理を適切に推定することができない場合も起こり得る。そのような場合は、却って複雑なユーザ操作を強いる虞がある。本発明は、そのような事情に鑑みてなされたものであり、本発明の課題は、画像処理装置の操作性を適切に向上させることである。
【課題を解決するための手段】
【０００５】
上記課題を解決するために、本発明の画像処理装置は、記録用紙に画像データに基づく画像の記録を行う記録部と、原稿に記された画像の読み取りを行う読取部と、記録用紙を載置するための第１載置部と、前記第１載置部に記録用紙が載置されているときは前記第１載置部の状態としてＯＮ状態を検出し、前記第１載置部に記録用紙が載置されていないときは前記第１載置部の状態としてＯＦＦ状態を検出する第１検出部と、原稿を載置するための第２載置部と、前記第２載置部に原稿が載置されているときは前記第２載置部の状態としてＯＮ状態を検出し、前記第２載置部に原稿が載置されていないときは前記第２載置部の状態としてＯＦＦ状態を検出する第２検出部と、画像データを記憶する記憶装置が接続可能であり、記憶装置が接続されているときはＯＮ状態を検出し、記憶装置が接続されていないときはＯＦＦ状態を検出する接続部と、表示部と、制御部と、を備え、前記制御部は、前記第１検出部によって検出される前記第１載置部の状態の、ＯＦＦ状態からＯＮ状態への切り替わりと、前記第２検出部によって検出される前記第２載置部の状態の、ＯＦＦ状態からＯＮ状態への切り替わりと、前記接続部によって検出される状態の、ＯＦＦ状態から、ＯＮ状態への切り替わりとの３つの切り替わりのうちの何れか１つ切り替わりを特定した場合に、前記第１載置部と前記第２載置部と前記接続部とのうちの当該１つの切り替わりが特定された第１対象部と、当該第１対象部とは異なる第２対象部とを利用して実行することが可能な処理である対象処理を示す情報と、前記第２対象部を報知する第１報知情報を、前記表示部に表示させる第１表示制御手段と、前記第１表示制御手段により前記第１報知情報が前記表示部に表示されている状態で、前記第２対象部の状態のＯＦＦ状態からＯＮ状態への切り替わりを特定した場合に、前記対象処理の実行指令を受け付けるための受付画面を、前記表示部に表示させる第２表示制御手段と、を有することを特徴とする。
【０００６】
上記課題を解決するために、本発明の制御プログラムは、記録用紙に画像データに基づく画像の記録を行う記録部と、原稿に記された画像の読み取りを行う読取部と、記録用紙を載置するための第１載置部と、前記第１載置部に記録用紙が載置されているときは前記第１載置部の状態としてＯＮ状態を検出し、前記第１載置部に記録用紙が載置されていないときは前記第１載置部の状態としてＯＦＦ状態を検出する第１検出部と、原稿を載置するための第２載置部と、前記第２載置部に原稿が載置されているときは前記第２載置部の状態としてＯＮ状態を検出し、前記第２載置部に原稿が載置されていないときは前記第２載置部の状態としてＯＦＦ状態を検出する第２検出部と、画像データを記憶する記憶装置が接続可能であり、記憶装置が接続されているときはＯＮ状態を検出し、記憶装置が接続されていないときはＯＦＦ状態を検出する接続部と、表示部とを備えた画像処理装置のコンピュータが読み取り可能な制御プログラムであって、前記コンピュータを、前記第１検出部によって検出される前記第１載置部の状態の、ＯＦＦ状態からＯＮ状態への切り替わりと、前記第２検出部によって検出される前記第２載置部の状態の、ＯＦＦ状態からＯＮ状態への切り替わりと、前記接続部によって検出される状態の、ＯＦＦ状態から、ＯＮ状態への切り替わりとの３つの切り替わりのうちの何れか１つ切り替わりを特定した場合に、前記第１載置部と前記第２載置部と前記接続部とのうちの当該１つの切り替わりが特定された第１対象部と、当該第１対象部とは異なる第２対象部とを利用して実行することが可能な処理である対象処理を示す情報と、前記第２対象部を報知する第１報知情報を、前記表示部に表示させる第１表示制御手段と、前記第１表示制御手段により前記第１報知情報が前記表示部に表示されている状態で、前記第２対象部の状態のＯＦＦ状態からＯＮ状態への切り替わりを特定した場合に、前記対象処理の実行指令を受け付けるための受付画面を、前記表示部に表示させる第２表示制御手段と、して機能させることを特徴とする。
【発明の効果】
【０００７】
本発明の画像処理装置等では、第１検出部が、第１載置部に記録用紙が載置されているときは第１載置部の状態としてＯＮ状態を検出し、第１載置部に記録用紙が載置されていないときは第１載置部の状態としてＯＦＦ状態を検出する。また、第２検出部が、第２載置部に原稿が載置されているときは第２載置部の状態としてＯＮ状態を検出し、第２載置部に原稿が載置されていないときは第２載置部の状態としてＯＦＦ状態を検出する。さらに、接続部が、自身に記憶装置が装着されているときはＯＮ状態を検出し、自身に記憶装置が装着されていないときはＯＦＦ状態を検出する。この際、第１載置部のＯＦＦ状態からＯＮ状態への切り替わりと、第２載置部のＯＦＦ状態からＯＮ状態への切り替わりと、接続部のＯＦＦ状態からＯＮ状態への切り替わりとの３つの切替のうちの何れか１つ切り替わりが特定された場合に、その１つの切り替わりが特定された第１対象部と、第１対象部とは異なる第２対象部とを利用して実行することが可能な対象処理を示す情報と、第２対象部を報知する第１報知情報が、表示部に表示される。そして、その第１報知情報が表示部に表示されている状態で、第２対象部のＯＦＦ状態からＯＮ状態への切り替わりが特定された場合に、対象処理の実行指令を受け付けるための受付画面が、表示部に表示される。つまり、ＯＦＦ状態からＯＮ状態に切り替わっている対象部を用いて実行することが可能な処理が、対象処理として表示部に表示され、その対象処理を実行するために必要な対象部も、表示部に表示される。そして、その必要な対象部が、ＯＦＦ状態からＯＮ状態とされることで、対象処理の実行を受け付ける受付画面が表示部に表示される。これにより、ユーザは、表示に従って、対象部をＯＦＦ状態からＯＮ状態に切り替えることで、受付画面が表示部に表示される。このため、ユーザは、対象処理の実行に必要な対象部に対して、所定の操作を行うだけで、ユーザの意思に応じた受付画面を表示部に表示させることが可能となり、操作性が向上する。
【図面の簡単な説明】
【０００８】
【図１】通信システム１のブロック図である。
【図２】メニュー画面７０を示す図である。
【図３】処理実行画面１００を示す図である。
【図４】処理実行画面１１０を示す図である。
【図５】処理実行画面１２０を示す図である。
【図６】対象部の状態と実行可能な処理との関係を概念的に示す図である。
【図７】コピー処理選択ボタン１３０を示す図である。
【図８】メディア印刷処理選択ボタン１３２を示す図である。
【図９】スキャンｔｏメディア処理選択ボタン１３４を示す図である。
【図１０】第１用紙補充ガイダンス１４０を示す図である。
【図１１】第１原稿セットガイダンス１５０を示す図である。
【図１２】第１メモリ接続ガイダンス１６０を示す図である。
【図１３】第１画面１７０を示す図である。
【図１４】コピー処理選択ボタン１３０および第１メモリ接続ガイダンス１６０を示す図である。
【図１５】第１用紙補充ガイダンス１４０および第１画面１７０を示す図である。
【図１６】ＭＦＰ１０の動作フローチャートを示す図である。
【図１７】ＭＦＰ１０の動作フローチャートを示す図である。
【図１８】ＭＦＰ１０の動作フローチャートを示す図である。
【図１９】ＭＦＰ１０の動作フローチャートを示す図である。
【図２０】ＭＦＰ１０の動作フローチャートを示す図である。
【発明を実施するための形態】
【０００９】
＜通信システムの構成＞
図１に、本願に係る実施形態として例示される通信システム１のブロック図を示す。通信システム１は、ＭＦＰ（Multifunction Peripheralの略）（本発明の画像処理装置の一例）１０、ＰＣ（Personal Computerの略）６０、サーバ６２を備える。
【００１０】
ＭＦＰ１０は、ＣＰＵ（本発明の制御部およびコンピュータの一例）１２、記憶部１４、ディスプレイ（本発明の表示部の一例）１６、入力Ｉ／Ｆ（本発明の操作部の一例）１８、記録部（本発明の記録部の一例）２０、読取部（本発明の読取部の一例）２２、第１センサ（本発明の第１検出部の一例）２４、第２センサ（本発明の第１検出部の一例）２５、第３センサ（本発明の第２検出部の一例）２６、第４センサ（本発明の第２検出部の一例）２８、ＵＳＢ用Ｉ／Ｆ（本発明の接続部および対象部の一例）３０、ネットワークＩ／Ｆ３２、モデム３４、電話回線接続部３６を主に備えている。これらの構成要素は、入出力ポート３８を介して互いに通信可能とされている。
【００１１】
ディスプレイ１６は、ＭＦＰ１０の各種機能を表示する表示面を備える。ディスプレイの一例としては、例えば、ＬＣＤ、有機ＥＬ、プラズマディスプレイ等が挙げられる。入力Ｉ／Ｆ１８は、例えば、ディスプレイ１６と一体的に構成されているタッチパネルであってよく、ディスプレイ１６上に表示されたボタンへのユーザ操作を受け付ける。また、タッチパネル以外にも、ハードキー等であってもよい。
【００１２】
記録部２０は、印刷機構であり、例えば、インクジェットヘッドが挙げられる。ＣＰＵ１２は、手差しトレイ（図示省略）（本発明の第１載置部および対象部の一例）にセットされた印刷用紙、若しくは、内蔵トレイ（図示省略）（本発明の第１載置部および対象部の一例）に収納された印刷用紙を記録部２０に搬送し、記録部２０へ駆動信号を入力する。これにより、記録部２０がインクジェットヘッドである場合は入力された駆動信号に応じて、ノズルからインクを吐出することで、印刷用紙に画像が印刷される。
【００１３】
読取部２２は、フラットベッド（図示省略）（本発明の第２載置部および対象部の一例）若しくは、ＡＤＦ（Auto Document Feederの略）（図示省略）（本発明の第２載置部および対象部の一例）にセットされた原稿の画像を読み取り、スキャンを実行する部位である。読取部２２としては、例えば、ＣＣＤイメージセンサ、コンタクトイメージセンサ等が挙げられる。
【００１４】
第１センサ２４は、手差しトレイに印刷用紙がセットされているか否かを検出するためのセンサである。第２センサ２５は、内蔵トレイに印刷用紙が収納されているか否かを検出するためのセンサである。第３センサ２６は、フラットベッドに原稿がセットされているか否かを検出するためのセンサである。第４センサ２８は、ＡＤＦに原稿がセットされているか否かを検出するためのセンサである。
【００１５】
ＣＰＵ１２は、記憶部１４内の制御プログラム（本発明の制御プログラムの一例）５０に従って処理を実行する。制御プログラム５０は、ＭＦＰ１０において各種機能を実行するためのプログラムである。
【００１６】
なお、記憶部１４は、ＲＡＭ（Random Access Memoryの略）、ＲＯＭ（Read Only Memoryの略）、フラッシュメモリー、ＨＤＤ（Hard Diskの略）、ＣＰＵ１２が備えるバッファなどが組み合わされて構成されている。また、記憶部１４は、データ記憶領域５２を備える。データ記憶領域５２は、制御プログラム５０の実行に必要なデータなどを記憶する領域である。
【００１７】
ＵＳＢ用Ｉ／Ｆ３０には、ＵＳＢメモリ（本発明の記憶装置の一例）５４を接続することが可能とされている。これにより、ＭＦＰ１０は、ＵＳＢメモリ５４へのデータの記憶、若しくは、ＵＳＢメモリ５４に記憶されているデータの出力を行うことが可能である。また、ネットワークＩ／Ｆ３２は、外部装置と通信を行うものであり、ルータとしての機能を備えたハブ５５を介してＰＣ６０に接続されている。また、ネットワークＩ／Ｆ３２は、ハブ５５とインターネット５６とを介してサーバ６２に接続されている。これにより、ＭＦＰ１０は、ネットワークＩ／Ｆ３２を介して、ＰＣ６０およびサーバ６２とデータ通信を行うことが可能となる。
【００１８】
モデム３４は、ファクシミリ機能によって送信する原稿データを、電話回線網５８に伝送可能な信号に変調して電話回線接続部３６を介して送信したり、電話回線網５８から電話回線接続部３６を介して入力された信号を受信し、原稿データを復調するものである。
【００１９】
＜ＭＦＰ１０による各種処理の実行＞
ＭＦＰ１０では、上述した構成により、コピー処理，スキャン処理等の各種処理を実行することが可能である。詳しくは、ＭＦＰ１０では、通常、ディスプレイ１６に、図２に示すメニュー画面７０が表示されている。メニュー画面７０には、コピーボタン７２、ファックスボタン７４、設定ボタン７６、メディア印刷ボタン７８、スキャンｔｏＦＴＰボタン８０、スキャンｔｏＥｍａｉｌボタン８２、スキャンｔｏＰＣボタン８４、スキャンｔｏメディアボタン８６が表示されている。
【００２０】
コピーボタン７２は、フラットベッド、若しくは、ＡＤＦにセットされた原稿の画像データを読み取り、その画像データに基づく画像のコピー処理を選択するためのボタンである。ファックスボタン７４は、ファックス処理を選択するためのボタンである。設定ボタン７６は、設定変更を選択するためのボタンである。メディア印刷ボタン７８は、ＵＳＢメモリ５４に記憶されている画像データに基づく画像の印刷処理（以下、「メディア印刷処理」と記載する場合がある）を選択するためのボタンである。スキャンｔｏＦＴＰボタン８０は、フラットベッド、若しくは、ＡＤＦにセットされた原稿の画像データを読み取り、その画像データをサーバ６２に送信するスキャンｔｏＦＴＰ処理を選択するためのボタンである。スキャンｔｏＥｍａｉｌボタン８２は、フラットベッド、若しくは、ＡＤＦにセットされた原稿の画像データを読み取り、その画像データをＥｍａｉｌを利用して外部装置に送信するスキャンｔｏＥｍａｉｌ処理を選択するためのボタンである。スキャンｔｏＰＣボタン８４は、フラットベッド、若しくは、ＡＤＦにセットされた原稿の画像データを読み取り、その画像データをＰＣ６０に送信するスキャンｔｏＰＣ処理を選択するためのボタンである。スキャンｔｏメディアボタン８６は、フラットベッド、若しくは、ＡＤＦにセットされた原稿の画像データを読み取り、その画像データをＵＳＢメモリ５４に記憶させるスキャンｔｏメディア処理を選択するためのボタンである。
【００２１】
そして、メニュー画面７０の各種ボタン７２〜８６のうちの何れかのボタンが操作されることで、操作されたボタンに応じた処理を実行するための処理実行画面がディスプレイ１６に表示される。具体的には、例えば、コピーボタン７２が操作された場合には、図３に示す処理実行画面（本発明の受付画面の一例）１００が表示される。その処理実行画面１００には、モノクロコピーボタン１０２とカラーコピーボタン１０４とが表示されており、モノクロコピーボタン１０２が操作されることで、モノクロコピーが実行され、カラーコピーボタン１０４が操作されることで、カラーコピーが実行される。また、例えば、メディア印刷ボタン７８が操作された場合には、図４に示す処理実行画面（本発明の受付画面の一例）１１０が表示される。その処理実行画面１１０には、決定ボタン１１２が表示されており、決定ボタン１１２が操作されることで、メディア印刷処理が実行される。また、例えば、スキャンｔｏメディアボタン８６が操作された場合には、図５に示す処理実行画面（本発明の受付画面の一例）１２０が表示される。その処理実行画面１２０には、スタートボタン１２２が表示されており、スタートボタン１２２が操作されることで、スキャンｔｏメディア処理が実行される。
【００２２】
このように、ＭＦＰ１０では、多くの処理を実行することが可能である。ただし、ＭＦＰ１０で実行可能な処理が多いため、メニュー画面７０には、多くの選択ボタンが表示され、ユーザにとって実行すべき処理を選択することは煩雑な作業である。このため、ＭＦＰ１０では、各種処理を実行する際に用いられる対象部の状態に応じて、実行可能な処理が特定され、その処理を実行するための処理実行画面１００，１１０，１２０に遷移するための選択ボタンがディスプレイ１６に表示されたり、特定された処理の処理実行画面１００，１１０，１２０が、選択ボタンの操作なしでディスプレイ１６に表示されたりする。
【００２３】
具体的には、ＭＦＰ１０では、各種処理を実行する際に用いられる対象部として、手差しトレイと、内蔵トレイと、フラットベッドと、ＡＤＦと、ＵＳＢ用Ｉ／Ｆ３０とが採用されており、それら対象部の状態に応じて想定される処理として、コピー処理（本発明のコピー処理の一例）と、メディア印刷処理（本発明の印刷処理の一例）と、スキャンｔｏメディア処理（本発明の記憶処理の一例）とが採用されている。また、手差しトレイの状態は、第１センサ２４によって検出される。つまり、手差しトレイに印刷用紙がセットされているか否かが、第１センサ２４によって検出される。なお、手差しトレイに印刷用紙がセットされた状態をＯＮ状態と記載し、手差しトレイに印刷用紙がセットされていない状態をＯＦＦ状態と記載する。また、内蔵トレイの状態は、第２センサ２５によって検出される。つまり、内蔵トレイに印刷用紙が収納されているか否かが、第２センサ２５によって検出される。なお、内蔵トレイに印刷用紙が収納された状態をＯＮ状態と記載し、内蔵トレイに印刷用紙が収納されていない状態をＯＦＦ状態と記載する。また、フラットベッドの状態は、第３センサ２６によって検出される。つまり、フラットベッドに原稿がセットされているか否かが、第３センサ２６によって検出される。なお、フラットベッドに原稿がセットされた状態をＯＮ状態と記載し、フラットベッドに原稿がセットされていない状態をＯＦＦ状態と記載する。また、ＡＤＦの状態は、第４センサ２８によって検出される。つまり、ＡＤＦに原稿がセットされているか否かが、第４センサ２８によって検出される。なお、ＡＤＦに原稿がセットされた状態をＯＮ状態と記載し、ＡＤＦに原稿がセットされていない状態をＯＦＦ状態と記載する。また、ＵＳＢ用Ｉ／Ｆ３０の状態は、ＵＳＢメモリ５４との間でデータの出入力を行うことができるか否かに基づいて行われる。つまり、ＵＳＢ用Ｉ／Ｆ３０にＵＳＢメモリ５４が接続されているか否かが判断される。なお、ＵＳＢ用Ｉ／Ｆ３０にＵＳＢメモリ５４が接続された状態をＯＮ状態と記載し、ＵＳＢメモリ５４が接続されていない状態をＯＦＦ状態と記載する。
【００２４】
また、データ記憶領域５２には、上記対象部の状態と、その対象部の状態に応じて実行可能な処理との関係を示すマップデータが記憶されている。このマップデータを概念的に図６に示す。このマップデータでは、フラットベッド（ＦＢ）、若しくは、ＡＤＦがＯＮ状態とされており、手差しトレイと内蔵トレイとの少なくとも一方がＯＮ状態とされている場合（マップデータでの６，８，１０，１２，１４，１６行目）には、対象部の状態に応じて実行可能な処理として、コピー処理が設定されている。これは、コピー処理時には、フラットベッド、若しくは、ＡＤＦに原稿がセットされ、手差しトレイと内蔵トレイとの少なくとも一方にコピー処理がセットされることが必要なためである。このため、フラットベッド、若しくは、ＡＤＦがＯＮ状態とされ、手差しトレイと内蔵トレイとの少なくとも一方がＯＮ状態とされている場合には、図３に示すコピー処理用の処理実行画面１００が表示される。
【００２５】
ただし、例えば、前のユーザがフラットベッドに原稿をセットして、その原稿の回収を忘れた場合には、その対象部はＯＮ状態となっているが、その対象部のＯＮ状態は、ユーザが意図したものではない。つまり、対象部がＯＮ状態とされてから、ある程度の時間経過した場合には、ユーザがその対象部に応じた処理の実行を望んでいるかは、不明である。このため、ＡＤＦがＯＮ状態とされ、手差しトレイと内蔵トレイとの少なくとも一方がＯＮ状態とされている場合に、それらの対象部の全てがＯＮ状態とされてからの経過時間、つまり、それらの対象部がＯＦＦ状態からＯＮ状態に切り替えられた後の経過時間（以下、「ＯＮ状態の経過時間」と記載する場合がある）が設定時間（本実施例では、１分）以内であることを条件として、図３に示すコピー処理用の処理実行画面１００が表示される。
【００２６】
一方、ＡＤＦがＯＮ状態とされ、手差しトレイと内蔵トレイとの少なくとも一方がＯＮ状態とされているが、それらの対象部のうちの何れかのＯＮ状態の経過時間が設定時間以上である場合には、ユーザの確認を促すべく、図７に示すコピー処理選択ボタン（本発明のアイコンの一例）１３０がディスプレイ１６に表示される。そして、コピー処理選択ボタン１３０が操作されることで、ディスプレイ１６に、図３に示すコピー処理用の処理実行画面１００が表示される。
【００２７】
また、ＵＳＢ用Ｉ／Ｆ３０がＯＮ状態とされており、手差しトレイと内蔵トレイとの少なくとも一方がＯＮ状態とされている場合（マップデータでの７，８，１１，１２，１５，１６行目）には、対象部の状態に応じて実行可能な処理として、メディア印刷処理が設定されている。これは、メディア印刷処理時には、ＵＳＢ用Ｉ／Ｆ３０にＵＳＢメモリ５４が接続され、手差しトレイと内蔵トレイとの少なくとも一方に印刷用紙がセットされることが必要なためである。このため、ＵＳＢ用Ｉ／Ｆ３０がＯＮ状態とされ、手差しトレイと内蔵トレイとの少なくとも一方がＯＮ状態とされている場合には、図４に示すメディア印刷処理用の処理実行画面１１０が表示される。
【００２８】
ただし、この場合も、コピー処理と同様に、メディア印刷処理に応じた全ての対象部のＯＮ状態の経過時間が設定時間以内であることを条件として、図４に示すメディア印刷処理用の処理実行画面１１０が表示される。一方、メディア印刷処理に応じた対象部のうちの何れかのＯＮ状態の経過時間が設定時間以上である場合には、ユーザの確認を促すべく、図８に示すメディア印刷処理選択ボタン（本発明のアイコンの一例）１３２がディスプレイ１６に表示される。そして、メディア印刷処理選択ボタン１３２が操作されることで、ディスプレイ１６に、図４に示すメディア印刷処理用の処理実行画面１１０が表示される。
【００２９】
また、ＵＳＢ用Ｉ／Ｆ３０がＯＮ状態とされており、フラットベッド、若しくは、ＡＤＦがＯＮ状態とされている場合（マップデータでの４，８，１２，１６行目）には、対象部の状態に応じて実行可能な処理として、スキャンｔｏメディア処理が設定されている。これは、スキャンｔｏメディア処理時には、ＵＳＢ用Ｉ／Ｆ３０にＵＳＢメモリ５４が接続され、フラットベッド、若しくは、ＡＤＦに原稿がセットされることが必要なためである。このため、ＵＳＢ用Ｉ／Ｆ３０がＯＮ状態とされ、フラットベッド、若しくは、ＡＤＦがＯＮ状態とされている場合には、図５に示すスキャンｔｏメディア処理用の処理実行画面１２０が表示される。
【００３０】
ただし、この場合も、コピー処理と同様に、スキャンｔｏメディア処理に応じた全ての対象部のＯＮ状態の経過時間が設定時間以内であることを条件として、図５に示すスキャンｔｏメディア処理用の処理実行画面１２０が表示される。一方、スキャンｔｏメディア処理に応じた対象部のうちの何れかのＯＮ状態の経過時間が設定時間以上である場合には、ユーザの確認を促すべく、図９に示すスキャンｔｏメディア処理選択ボタン（本発明のアイコンの一例）１３４がディスプレイ１６に表示される。そして、スキャンｔｏメディア処理選択ボタン１３４が操作されることで、ディスプレイ１６に、図５に示すスキャンｔｏメディア処理用の処理実行画面１２０が表示される。
【００３１】
このように、ＭＦＰ１０では、設定時間内に、実行対象の処理に応じた対象部を所定の状態にしておくだけで、その実行対象の処理を実行するための処理実行画面１００，１１０，１２０が、ディスプレイ１６に表示される。これにより、操作ボタンを操作することなく、ユーザが実行したい処理の受付画面、つまり、処理実行画面１００，１１０，１２０をディスプレイ１６に表示することが可能となる。また、設定時間を超えて、対象部が所定の状態にされている場合には、その対象部に応じた処理の受付画面、つまり、処理実行画面１００，１１０，１２０をディスプレイ１６に表示させるための選択ボタンが表示される。これにより、ユーザに、その処理の実行を望んでいるか否かを問うとともに、ユーザが、その処理の実行を望んでいる場合には、その選択ボタンを操作するだけで、その処理の受付画面をディスプレイ１６に表示することが可能となる。
【００３２】
また、上記説明では、対象部の状態に応じて実行可能な処理が特定され、その特定された処理に応じた選択ボタンがディスプレイ１６に表示されているが、ＭＦＰ１０では、さらに、対象部の状態に応じて実行可能な処理を推定し、その推定された処理を実行するために必要な対象部の状態を説明するためのガイダンスが、ディスプレイ１６に表示される。
【００３３】
具体的には、例えば、ＵＳＢ用Ｉ／Ｆ３０にＵＳＢメモリ５４が接続されている場合には、ＵＳＢメモリ５４を用いて実行可能な処理として、メディア印刷処理とスキャンｔｏメディア処理とが推定される。この際、メディア印刷処理を実行するためには、手差しトレイと内蔵トレイとの少なくとも一方に印刷用紙がセットされていなければ、何れかのトレイに印刷用紙をセットする必要がある。このため、ＵＳＢ用Ｉ／Ｆ３０がＯＮ状態とされ、手差しトレイと内蔵トレイとの両方がＯＦＦ状態とされている場合には、図１０に示す第１用紙補充ガイダンス（本発明の第１報知情報の一例）１４０がディスプレイ１６に表示される。第１用紙補充ガイダンス１４０には、印刷用紙の補充によりメディア印刷処理を実行できることを促すコメント１４２と、そのことを描画したイラスト１４４とが表示される。なお、図１０でのイラスト１４４は、内蔵トレイに印刷用紙を補充する様子が描画されているが、このイラスト１４４は、内蔵トレイに印刷用紙を補充する様子が描画されたものと、手差しトレイに印刷用紙を補充する様子が描画されたものとで、所定時間毎に変化する。
【００３４】
ただし、この場合も、上述したように、対象部のＯＮ状態が、ユーザの意図しないものである虞がある。つまり、前のユーザがＵＳＢＩ/Ｆ３０にＵＳＢメモリ５４を接続し、そのＵＳＢメモリ５４の取外しを忘れた場合には、その対象部はＯＮ状態となっているが、その対象部のＯＮ状態は、ユーザが意図したものではない。このような場合に、第１用紙補充ガイダンス１４０をディスプレイ１６に表示しても、無意味である。このため、ＵＳＢ用Ｉ／Ｆ３０がＯＮ状態とされ、手差しトレイと内蔵トレイとの両方がＯＦＦ状態とされている場合であり、かつ、ＵＳＢ用Ｉ／Ｆ３０のＯＮ状態の経過時間が、設定時間内であることを条件として、第１用紙補充ガイダンス１４０がディスプレイ１６に表示される。
【００３５】
また、ＵＳＢ用Ｉ／Ｆ３０にＵＳＢメモリ５４が接続されている場合に、ＵＳＢメモリ５４を用いて実行可能な処理として、スキャンｔｏメディア処理を実行するためには、フラットベッド、若しくは、ＡＤＦに原稿がセットされていなければ、フラットベッド、若しくは、ＡＤＦに原稿をセットする必要がある。このため、ＵＳＢ用Ｉ／Ｆ３０がＯＮ状態とされ、フラットベッドとＡＤＦとの両方がＯＦＦ状態とされている場合には、図１１に示す第１原稿セットガイダンス（本発明の第１報知情報の一例）１５０がディスプレイ１６に表示される。第１原稿セットガイダンス１５０には、原稿のセットによりスキャンｔｏメディア処理を実行できることを促すコメント１５２と、そのことを描画したイラスト１５４とが表示される。なお、図１１でのイラスト１５４は、フラットベッドに原稿をセットする様子が描画されているが、このイラスト１５４は、フラットベッドに原稿をセットする様子が描画されたものと、ＡＤＦに原稿をセットする様子が描画されたものとで、所定時間毎に変化する。
【００３６】
ただし、この場合も、ＵＳＢメモリ５４の取り忘れを考慮して、ＵＳＢ用Ｉ／Ｆ３０のＯＮ状態の経過時間が、設定時間内であることを条件として、第１原稿セットガイダンス１５０がディスプレイ１６に表示される。
【００３７】
また、例えば、フラットベッド、若しくは、ＡＤＦに原稿がセットされている場合には、その原稿を用いて実行可能な処理として、スキャンｔｏメディア処理とコピー処理とが推定される。この際、スキャンｔｏメディア処理を実行するためには、ＵＳＢ用Ｉ／Ｆ３０にＵＳＢメモリ５４が接続されていなければ、ＵＳＢ用Ｉ／Ｆ３０にＵＳＢメモリ５４を接続する必要がある。このため、フラットベッド、若しくは、ＡＤＦがＯＮ状態とされ、ＵＳＢ用Ｉ／Ｆ３０がＯＦＦ状態とされている場合には、図１２に示す第１メモリ接続ガイダンス（本発明の第１報知情報の一例）１６０がディスプレイ１６に表示される。第１メモリ接続ガイダンス１６０には、ＵＳＢ用Ｉ／Ｆ３０へのＵＳＢメモリ５４の接続によりスキャンｔｏメディア処理を実行できることを促すコメント１６２と、そのことを描画したイラスト１６４とが表示される。なお、この場合も、フラットベッド、若しくはＡＤＦからの原稿の回収忘れを考慮して、フラットベッド、若しくは、ＡＤＦのＯＮ状態の経過時間が、設定時間内であることを条件として、第１メモリ接続ガイダンス１６０がディスプレイ１６に表示される。
【００３８】
また、フラットベッド、若しくは、ＡＤＦに原稿がセットされている場合に、その原稿を用いて実行可能な処理として、コピー処理を実行するためには、手差しトレイと内蔵トレイとの少なくとも一方に印刷用紙がセットされていなければ、何れかのトレイに印刷用紙をセットする必要がある。このため、フラットベッド、若しくは、ＡＤＦがＯＮ状態とされ、手差しトレイと内蔵トレイとの両方がＯＦＦ状態とされている場合には、第２用紙補充ガイダンス（本発明の第１報知情報の一例）（図示省略）がディスプレイ１６に表示される。第２用紙補充ガイダンスは、第１用紙補充ガイダンス１４０と、コメント１４２を除いて、同じであり、第２用紙補充ガイダンスのコメントには、印刷用紙の補充によりコピー処理を実行できることを促す旨が記されている。なお、この場合も、フラットベッド、若しくはＡＤＦからの原稿の回収忘れを考慮して、フラットベッド、若しくはＡＤＦのＯＮ状態の経過時間が、設定時間内であることを条件として、第２用紙補充ガイダンスがディスプレイ１６に表示される。
【００３９】
また、例えば、手差しトレイと内蔵トレイとの少なくとも一方に印刷用紙がセットされている場合には、その印刷用紙を用いて実行可能な処理として、メディア印刷処理とコピー処理とが推定される。この際、メディア印刷処理を実行するためには、ＵＳＢ用Ｉ／Ｆ３０にＵＳＢメモリ５４が接続されていなければ、ＵＳＢ用Ｉ／Ｆ３０にＵＳＢメモリ５４を接続する必要がある。このため、手差しトレイと内蔵トレイとの少なくとも一方がＯＮ状態とされ、ＵＳＢ用Ｉ／Ｆ３０がＯＦＦ状態とされている場合には、第２メモリ接続ガイダンス（本発明の第１報知情報の一例）（図示省略）がディスプレイ１６に表示される。第２メモリ接続ガイダンスは、第１メモリ接続ガイダンス１６０と、コメント１６２を除いて、同じであり、第２メモリ接続ガイダンスのコメントには、ＵＳＢメモリ５４の接続によりメディア印刷処理を実行できることを促す旨が記されている。なお、この場合も、手差しトレイ、若しくは内蔵トレイからの印刷用紙の回収忘れを考慮して、手差しトレイ、若しくは、内蔵トレイのＯＮ状態の経過時間が、設定時間内であることを条件として、第２メモリ接続ガイダンスがディスプレイ１６に表示される。
【００４０】
また、手差しトレイと内蔵トレイとの少なくとも一方に印刷用紙がセットされている場合に、その印刷用紙を用いて実行可能な処理として、コピー処理を実行するためには、フラットベッド、若しくは、ＡＤＦに原稿がセットされていなければ、フラットベッド、若しくは、ＡＤＦに原稿をセットする必要がある。このため、手差しトレイと内蔵トレイとの少なくとも一方がＯＮ状態とされ、フラットベッドとＡＤＦとの両方がＯＦＦ状態とされている場合には、第２原稿セットガイダンス（本発明の第１報知情報の一例）（図示省略）がディスプレイ１６に表示される。第２原稿セットガイダンスは、第１原稿セットガイダンス１５０と、コメント１５２を除いて、同じであり、第２原稿セットガイダンスのコメントには、原稿のセットによりコピー処理を実行できることを促す旨が記されている。なお、この場合も、手差しトレイ、若しくは内蔵トレイからの印刷用紙の回収忘れを考慮して、手差しトレイ、若しくは、内蔵トレイのＯＮ状態の経過時間が、設定時間内であることを条件として、第２原稿セットガイダンスがディスプレイ１６に表示される。
【００４１】
なお、図６に示すマップデータでは、対象部の状態と、その対象部の状態に応じてディスプレイ１６に表示されるガイダンスを特定するための情報とが関連付けられている。具体的には、例えば、ＵＳＢ用Ｉ／Ｆ３０がＯＮ状態とされており、他の対象部がＯＦＦ状態とされている場合（マップデータでの３行目）には、メディア印刷処理に対応して、手差しトレイと内蔵トレイとの少なくとも一方への印刷用紙のセットが必要な旨の情報（「内蔵トレイｏｒ手差しトレイ：ＯＮが必要」）と、スキャンｔｏメディア処理に対応して、フラットベッド、若しくは、ＡＤＦへの原稿のセットが必要な旨の情報（「ＦＢｏｒＡＤＦ：ＯＮが必要」）とが関連付けられている。メディア印刷処理に対応した「内蔵トレイｏｒ手差しトレイ：ＯＮが必要」の情報は、メディア印刷処理の実行には印刷用紙のセットが必要であることを示す情報であり、その情報により、第１用紙補充ガイダンス１４０が特定される。また、スキャンｔｏメディア処理に対応した「ＦＢｏｒＡＤＦ：ＯＮが必要」の情報は、スキャンｔｏメディア処理の実行には原稿のセットが必要な旨の情報であり、その情報により、第１原稿セットガイダンス１５０に特定される。このため、ＵＳＢ用Ｉ／Ｆ３０にＵＳＢメモリ５４が接続され、印刷用紙のセットおよび、原稿のセットが行われていない場合には、マップデータの参照により、第１用紙補充ガイダンス１４０と第１原稿セットガイダンス１５０とが特定される。そして、第１用紙補充ガイダンス１４０と第１原稿セットガイダンス１５０とが、ディスプレイ１６に表示される。
【００４２】
また、例えば、手差しトレイと内蔵トレイとの少なくとも一方がＯＮ状態とされており、他の対象部がＯＦＦ状態とされている場合（マップデータでの５，９，１３行目）には、コピー処理に対応して、フラットベッド、若しくは、ＡＤＦへの原稿のセットが必要な旨の情報（「ＦＢｏｒＡＤＦ：ＯＮが必要」）と、メディア印刷処理に対応して、ＵＳＢ用Ｉ／Ｆ３０へのＵＳＢメモリ５４の接続が必要な旨の情報（「ＵＳＢ用Ｉ／Ｆ：ＯＮが必要」）とが関連付けられている。コピー処理に対応した「ＦＢｏｒＡＤＦ：ＯＮが必要」の情報は、コピー処理の実行には原稿のセットが必要であることを示す情報であり、その情報により、第２原稿セットガイダンスが特定される。また、メディア印刷処理に対応した「ＵＳＢ用Ｉ／Ｆあり：ＯＮが必要」の情報は、メディア印刷処理の実行にはＵＳＢ用Ｉ／ＦへのＵＳＢメモリ５４の接続が必要な旨の情報であり、その情報により、第２メモリ接続ガイダンスに特定される。このため、手差しトレイと内蔵トレイとの少なくとも一方に印刷用紙がセットされ、原稿のセットおよび、ＵＳＢメモリ５４の接続が行われていない場合には、マップデータの参照により、第２原稿セットガイダンスと第２メモリ接続ガイダンスとが選択される。そして、第２原稿セットガイダンスと第２メモリ接続ガイダンスとが、ディスプレイ１６に表示される。
【００４３】
このように、対象部の状態に応じて実行可能な処理を推定し、その推定された処理に応じたガイダンスをディスプレイ１６に表示することで、ユーザに、推定された処理を実行するために必要な行為を促すことが可能となる。そして、ユーザが、ガイダンスに応じた行為を実行することで、推定された処理を実行するために必要な対象部がＯＮ状態となり、マップデータにおいて、その推定された処理が、実行可能な処理として設定される。
【００４４】
具体的には、例えば、手差しトレイと内蔵トレイとの少なくとも一方がＯＮ状態とされ、ＵＳＢ用Ｉ／Ｆ３０がＯＦＦ状態とされている場合には、対象部の状態に応じて実行可能な処理として、メディア印刷が推定され、ディスプレイ１６に第２メモリ接続ガイダンスが表示されている。そして、第２メモリ接続ガイダンスに従って、ＵＳＢ用Ｉ／Ｆ３０にＵＳＢメモリ５４を接続することで、ＵＳＢ用Ｉ／Ｆ３０がＯＮ状態とされる。つまり、マップデータ（図６参照）において、ＵＳＢ用Ｉ／Ｆ３０がＯＮ状態とされ、手差しトレイと内蔵トレイとの少なくとも一方がＯＮ状態とされている場合（マップデータでの７，８，１１，１２，１５，１６行目）の実行可能な処理として、メディア印刷処理が特定される。これにより、ディスプレイ１６に処理実行画面１１０が表示される。
【００４５】
つまり、ガイダンスに従って、対象部に対して所定の行為を行うことで、所定の処理を実行するための準備が整う。また、対象部に対する所定の行為を行うことで、その対象部がＯＮ状態となり、マップデータにおいて、実行可能な処理が特定される。これにより、ユーザは、ガイダンスに従って、対象部に対して所定の行為を行うだけで、操作ボタンを操作することなく、処理実行画面１００，１１０，１２０をディスプレイ１６に表示させることが可能となる。
【００４６】
また、対象部には、ユーザが目視にて対象部の状態を確認できないものがあり、そのような場合には、ユーザが意図しない処理が実行される虞がある。詳しくは、ユーザがフラットベッドに原稿をセットし、その原稿の回収を忘れている場合があり、そのような場合には、カバーが閉じられていると、そのユーザの後にＭＦＰ１０を使用するユーザは、フラットベッドに原稿がセットされていることが解らない。このため、このような場合には、ユーザの意図とは関係なく、フラットベッドがＯＮ状態となっているため、フラットベッドのＯＮ状態により、選択ボタンがディスプレイ１６に表示され、その選択ボタンの操作により、ユーザの意図しない処理が実行される虞がある。
【００４７】
このようなことに鑑みて、ＭＦＰ１０では、フラットベッドがＯＮ状態とされており、そのＯＮ状態により選択ボタンがディスプレイ１６に表示される場合には、フラットベッドのＯＮ状態がある程度長い間、維持されているか否か、つまり、前のユーザのフラットベッドからの原稿の回収忘れにより、フラットベッドが、設定時間（本実施例では、１分間）継続してＯＮ状態となっているか否かが判断される。そして、フラットベッドが、１分間、継続してＯＮ状態となっている場合、つまり、フラットベッドのＯＮ状態の経過時間が１分以上である場合には、選択ボタンとともに、フラットベッドの原稿に関するガイダンスも、ディスプレイ１６に表示される。
【００４８】
具体的には、例えば、フラットベッドに原稿がセットされ、ＵＳＢ用Ｉ／Ｆ３０にＵＳＢメモリ５４を接続されている場合には、原稿のセットとＵＳＢメモリ５４の接続とにより実行可能な処理として、スキャンｔｏメディア処理が特定される。このような場合に、フラットベッドのＯＮ状態の経過時間が１分以上であるか否かが判断される。そして、フラットベッドのＯＮ状態の経過時間が１分以上である場合には、図１３に示す第１画面１７０がディスプレイ１６に表示される。この第１画面１７０には、スキャンｔｏメディア処理選択ボタン１３４と、原稿の置き直しガイダンス（本発明の第２報知情報の一例）１７２とが表示される。原稿の置き直しガイダンス１７２には、フラットベッドに原稿が既にセットされているため、フラットベッドにセットされている原稿の置き換えを促すコメント１７４と、そのことを描画したイラスト１７６とが表示される。これにより、フラットベッドに原稿が既にセットされていること、および、その原稿を置き換えることでもスキャンｔｏメディア処理を実行可能であることを、ユーザは認識し、その認識のもとに、適切な処理を行うことが可能となる。
【００４９】
また、対象部の状態によって、選択ボタンとガイダンスとが同時にディスプレイ１６に表示される場合がある。具体的には、例えば、フラットベッド、若しくは、ＡＤＦに原稿がセットされ、手差しトレイと内蔵トレイとの少なくとも一方に印刷用紙がセットされている場合には、原稿と印刷用紙とにより実行可能な処理として、コピー処理が特定される。このため、ディスプレイ１６に、コピー処理選択ボタン１３０を表示する。一方で、フラットベッド、若しくは、ＡＤＦに原稿がセットされているため、原稿により実行可能な処理として、スキャンｔｏメディア処理が推定される。このため、ディスプレイ１６に、第１メモリ接続ガイダンス１６０を表示する。つまり、フラットベッド、若しくは、ＡＤＦに原稿がセットされ、手差しトレイと内蔵トレイとの少なくとも一方に印刷用紙がセットされている場合には、図１４に示すように、コピー処理選択ボタン１３０と第１メモリ接続ガイダンス１６０とが同時に、ディスプレイ１６に表示される。
【００５０】
ただし、選択ボタンとガイダンスとが同時にディスプレイ１６に表示される際には、選択ボタンとガイダンスとは、優先順位をつけて、ディスプレイ１６に表示される。具体的には、例えば、前のユーザがＵＳＢ用Ｉ／Ｆ３０にＵＳＢメモリ５４を接続して、ＵＳＢメモリ５４の取り外しを忘れた場合等であっても、その対象部はＯＮ状態となっており、そのＯＮ状態により選択ボタンが表示される場合がある。このような場合には、その選択ボタンの表示は、現在、ＭＦＰ１０を使用しているユーザが意図しない可能性が高い。つまり、選択ボタンに応じた処理を特定するために用いられた対象部のＯＮ状態の経過時間が長い場合には、その選択ボタンをユーザが使用する可能性は低い。このため、選択ボタンに応じた処理を特定するために用いられた対象部のＯＮ状態の経過時間が、設定時間（１分間）以上である場合には、その選択ボタンの優先順位は、「低」に設定される。
【００５１】
一方、ユーザが所定の処理を実行するべく、対象部をＯＦＦ状態からＯＮ状態に変化させた場合には、その対象部のＯＮ状態の経過時間は、通常、短い。つまり、ＯＮ状態の経過時間が短い対象部によりガイダンスが特定された場合は、そのガイダンスをユーザが参考にする可能性は高い。このため、ガイダンスを特定するために用いられた対象部のＯＮ状態の経過時間が、設定時間（１分間）以内である場合には、そのガイダンスの優先順位は、「高」に設定される。
【００５２】
具体的には、例えば、図１４に示すように、コピー処理選択ボタン１３０と第１メモリ接続ガイダンス１６０とが同時に、ディスプレイ１６に表示される場合には、フラットベッド、若しくは、ＡＤＦがＯＮ状態とされ、手差しトレイと内蔵トレイとの少なくとも一方もＯＮ状態とされている。この際、フラットベッド、若しくは、ＡＤＦのＯＮ状態の経過時間が１分以内であり、手差しトレイと内蔵トレイとの少なくとも一方のＯＮ状態の経過時間が１分以上である場合には、コピー処理選択ボタン１３０が優先順位は、「低」に設定され、第１メモリ接続ガイダンス１６０の優先順位は、「高」に設定される。このため、第１メモリ接続ガイダンス１６０は、大きく表示され、コピー処理選択ボタン１３０は、第１メモリ接続ガイダンス１６０より小さく表示される。このように、ユーザに使用される可能性の高いものが優先的に表示されることで、視認性が向上する。
【００５３】
なお、選択ボタンに応じた処理を特定するために用いられた対象部のＯＮ状態の経過時間が、１分以上である場合であっても、その対象部がフラットベッドである場合には、選択ボタンの優先順位は、「中」に設定される。詳しくは、上述したように、フラットベッドのＯＮ状態により選択ボタンが表示される際に、そのフラットベッドのＯＮ状態の経過時間が１分以上である場合には、例えば、スキャンｔｏメディア処理選択ボタン１３４とガイダンス１７２とを含む第１画面１７０がディスプレイ１６に表示される。この第１画面１７０では、フラットベッドに既に原稿がセットされていることがユーザに告知されるため、この第１画面１７０は、ある程度、重要である。このため、この第１画面１７０の優先順位は、「中」に設定される。
【００５４】
具体的には、フラットベッドがＯＮ状態とされ、ＵＳＢ用Ｉ／Ｆ３０もＯＮ状態とされている際には、フラットベッドの原稿とＵＳＢメモリ５４とによってスキャンｔｏメディア処理が実行可能であると特定され、ＵＳＢメモリ５４によってメディア印刷処理が実行可能であると推定される。このため、通常は、スキャンｔｏメディア処理選択ボタン１３４と第１用紙補充ガイダンス１４０とが、同時にディスプレイ１６に表示される。しかし、フラットベッドのＯＮ状態の経過時間が１分以上である場合には、スキャンｔｏメディア処理選択ボタン１３４の代わりに、スキャンｔｏメディア処理選択ボタン１３４とイラスト１７６とを含む第１画面１７０が表示される。この際、第１画面１７０の優先順位は、「中」に設定される。
【００５５】
一方、ＵＳＢ用Ｉ／Ｆ３０のＯＮ状態の経過時間が１分以内である場合には、第１用紙補充ガイダンス１４０の優先順位は、「高」に設定される。このため、図１５に示すように、第１用紙補充ガイダンス１４０は、大きく表示され、第１画面１７０は、第１用紙補充ガイダンス１４０より小さく表示される。ただし、第１画面１７０の優先順位は、「中」であるため、優先順位が「低」の選択ボタンよりは大きく表示される。これにより、第１画面１７０の表示内容を、適切に確認することが可能となる。
【００５６】
＜制御プログラム＞
上記対象部の状態に応じて処理実行画面１００，１１０，１２０をディスプレイ１６に表示させるための処理は、ＭＦＰ１０のＣＰＵ１２において制御プログラム５０が実行されることによって行われる。以下に、ＣＰＵ１２で制御プログラム５０が実行される際のフローを、図１６乃至図２０を用いて説明する。
【００５７】
ＣＰＵ１２により制御プログラム５０が実行されると、図１６に示すように、まず、フラグおよび、経過時間が初期化される（Ｓ１００）。このフラグおよび、経過時間に関しては、後程説明する。次に、装置状態判定サブルーチンが実行される（Ｓ１０２）。装置状態判定サブルーチンでは、図１９に示すように、原稿の検出結果が変化したか否かが、ＣＰＵ１２によって判断される（Ｓ２００）。つまり、フラットベッドの原稿の有無を検出する第３センサ２６と、ＡＤＦの原稿の有無を検出する第４センサ２８とのいずれか一方の検出結果が変化したか否かが、判断される。
【００５８】
第３センサ２６と第４センサ２８とのいずれか一方の検出結果が変化した場合（Ｓ２００のＹＥＳ）には、原稿の検出に応じた経過時間が０とされる（Ｓ２０２）。つまり、第３センサ２６若しくは、第４センサ２８によって、フラットベッド若しくは、ＡＤＦのＯＦＦ状態からＯＮ状態への変化が検出された場合には、フラットベッド若しくは、ＡＤＦのＯＮ状態の経過時間が０とされる。また、第３センサ２６若しくは、第４センサ２８によって、フラットベッド若しくは、ＡＤＦのＯＮ状態からＯＦＦ状態への変化が検出された場合には、フラットベッド若しくは、ＡＤＦのＯＦＦ状態の経過時間が０とされる。
【００５９】
次に、第３センサ２６若しくは、第４センサ２８によって、フラットベッド若しくは、ＡＤＦに原稿がセットされているか否かが、ＣＰＵ１２によって判断される（Ｓ２０４）。そして、フラットベッド若しくは、ＡＤＦに原稿がセットされている場合（Ｓ２０４のＹＥＳ）には、原稿検出フラグＦがＯＮに設定される（Ｓ２０６）。そして、Ｓ２０８に進む。
【００６０】
なお、原稿検出フラグＦは、フラットベッド若しくは、ＡＤＦに原稿がセットされているか否かを示すフラグであり、ＯＮに設定されている場合には、フラットベッド若しくは、ＡＤＦに原稿がセットされていることを示しており、ＯＦＦに設定されている場合には、フラットベッド若しくは、ＡＤＦに原稿がセットされていないことを示す。このため、Ｓ２０４でフラットベッド若しくは、ＡＤＦに原稿がセットされていない場合（Ｓ２０４のＮＯ）には、原稿検出フラグＦがＯＦＦに設定される（Ｓ２１０）。そして、Ｓ２０８に進む。
【００６１】
また、Ｓ２００で第３センサ２６と第４センサ２８とのいずれか一方の検出結果が変化していない場合（Ｓ２００のＮＯ）には、原稿の検出に応じた経過時間に所定の時間が加算される（Ｓ２１２）。つまり、フラットベッド若しくは、ＡＤＦのＯＮ状態の経過時間若しくは、フラットベッド若しくは、ＡＤＦのＯＦＦ状態の経過時間に所定の時間が加算される。そして、Ｓ２０８に進む。なお、原稿検出フラグＦおよび、経過時間は、フラットベッドおよび、ＡＤＦ毎に記憶されている。
【００６２】
次に、Ｓ２０８では、ＵＳＢ用Ｉ／Ｆ３０へのＵＳＢメモリ５４の接続の検出結果が変化したか否かが、ＣＰＵ１２によって判断される（Ｓ２０８）。ＵＳＢ用Ｉ／Ｆ３０へのＵＳＢメモリ５４の接続の検出結果が変化した場合（Ｓ２０８のＹＥＳ）には、ＵＳＢ用Ｉ／Ｆ３０へのＵＳＢメモリ５４の接続に応じた経過時間が０とされる（Ｓ２１４）。つまり、ＵＳＢ用Ｉ／Ｆ３０のＯＦＦ状態からＯＮ状態への変化が検出された場合には、ＵＳＢ用Ｉ／Ｆ３０のＯＮ状態の経過時間が０とされる。また、ＵＳＢ用Ｉ／Ｆ３０のＯＮ状態からＯＦＦ状態への変化が検出された場合にも、ＵＳＢ用Ｉ／Ｆ３０のＯＦＦ状態の経過時間が０とされる。
【００６３】
次に、ＵＳＢ用Ｉ／Ｆ３０にＵＳＢメモリ５４が接続されているか否かが、ＣＰＵ１２によって判断される（Ｓ２１６）。そして、ＵＳＢ用Ｉ／Ｆ３０にＵＳＢメモリ５４が接続されている場合（Ｓ２１６のＹＥＳ）には、ＵＳＢメモリ検出フラグＦがＯＮに設定される（Ｓ２１８）。そして、Ｓ２２０に進む。
【００６４】
なお、ＵＳＢメモリ検出フラグＦは、ＵＳＢ用Ｉ／Ｆ３０にＵＳＢメモリ５４が接続されているか否かを示すフラグであり、ＯＮに設定されている場合には、ＵＳＢ用Ｉ／Ｆ３０にＵＳＢメモリ５４が接続されていることを示しており、ＯＦＦに設定されている場合には、ＵＳＢ用Ｉ／Ｆ３０にＵＳＢメモリ５４が接続されていないことを示す。このため、Ｓ２１６でＵＳＢ用Ｉ／Ｆ３０にＵＳＢメモリ５４が接続されていない場合（Ｓ２１６のＮＯ）には、ＵＳＢメモリ検出フラグＦがＯＦＦに設定される（Ｓ２２２）。そして、Ｓ２２０に進む。
【００６５】
また、Ｓ２０８でＵＳＢ用Ｉ／Ｆ３０へのＵＳＢメモリ５４の接続の検出結果が変化していない場合（Ｓ２０８のＮＯ）には、ＵＳＢ用Ｉ／Ｆ３０へのＵＳＢメモリ５４の接続に応じた経過時間に所定の時間が加算される（Ｓ２１２）。つまり、ＵＳＢ用Ｉ／Ｆ３０のＯＮ状態の経過時間若しくは、ＵＳＢ用Ｉ／Ｆ３０のＯＦＦ状態の経過時間に所定の時間が加算される。そして、Ｓ２２０に進む。
【００６６】
次に、Ｓ２２０では、手差しトレイの検出結果が変化したか否かが、ＣＰＵ１２によって判断される（Ｓ２２０）。つまり、手差しトレイの印刷用紙の有無を検出する第１センサ２４の検出結果が変化したか否かが、判断される。第１センサ２４の検出結果が変化した場合（Ｓ２２０のＹＥＳ）には、手差しトレイの検出に応じた経過時間が０とされる（Ｓ２２６）。つまり、第１センサ２４によって、手差しトレイのＯＦＦ状態からＯＮ状態への変化が検出された場合には、手差しトレイのＯＮ状態の経過時間が０とされる。また、第１センサ２４によって、手差しトレイのＯＮ状態からＯＦＦ状態への変化が検出された場合には、手差しトレイのＯＦＦ状態の経過時間が０とされる。
【００６７】
次に、第１センサ２４によって、手差しトレイに印刷用紙がセットされているか否かが、ＣＰＵ１２によって判断される（Ｓ２２８）。そして、手差しトレイに印刷用紙がセットされている場合（Ｓ２２８のＹＥＳ）には、手差しトレイ検出フラグＦがＯＮに設定される（Ｓ２３０）。そして、Ｓ２３２に進む。
【００６８】
なお、手差しトレイ検出フラグＦは、手差しトレイに印刷用紙がセットされているか否かを示すフラグであり、ＯＮに設定されている場合には、手差しトレイに印刷用紙がセットされていることを示しており、ＯＦＦに設定されている場合には、手差しトレイに印刷用紙がセットされていないことを示す。このため、Ｓ２２８で手差しトレイに印刷用紙がセットされていない場合（Ｓ２２８のＮＯ）には、手差しトレイ検出フラグＦがＯＦＦに設定される（Ｓ２３４）。そして、Ｓ２３２に進む。
【００６９】
また、Ｓ２２０で第１センサ２４の検出結果が変化していない場合（Ｓ２２０のＮＯ）には、手差しトレイの検出に応じた経過時間に所定の時間が加算される（Ｓ２１２）。つまり、手差しトレイのＯＮ状態の経過時間若しくは、手差しトレイのＯＦＦ状態の経過時間に所定の時間が加算される。そして、Ｓ２３２に進む。
【００７０】
次に、Ｓ２３２では、内蔵トレイの検出結果が変化したか否かが、ＣＰＵ１２によって判断される（Ｓ２３２）。つまり、内蔵トレイの印刷用紙の有無を検出する第２センサ２５の検出結果が変化したか否かが、判断される。第２センサ２５の検出結果が変化した場合（Ｓ２３２のＹＥＳ）には、内蔵トレイの検出に応じた経過時間が０とされる（Ｓ２３８）。つまり、第２センサ２５によって、内蔵トレイのＯＦＦ状態からＯＮ状態への変化が検出された場合には、内蔵トレイのＯＮ状態の経過時間が０とされる。また、第２センサ２５によって、内蔵トレイのＯＮ状態からＯＦＦ状態への変化が検出された場合には、内蔵トレイのＯＦＦ状態の経過時間が０とされる。
【００７１】
次に、第２センサ２５によって、内蔵トレイに印刷用紙がセットされているか否かが、ＣＰＵ１２によって判断される（Ｓ２４０）。そして、内蔵トレイに印刷用紙がセットされている場合（Ｓ２４０のＹＥＳ）には、内蔵トレイ検出フラグＦがＯＮに設定される（Ｓ２４２）。そして、装置状態判定サブルーチンの処理が終了する。
【００７２】
なお、内蔵トレイ検出フラグＦは、内蔵トレイに印刷用紙がセットされているか否かを示すフラグであり、ＯＮに設定されている場合には、内蔵トレイに印刷用紙がセットされていることを示しており、ＯＦＦに設定されている場合には、内蔵トレイに印刷用紙がセットされていないことを示す。このため、Ｓ２４０で内蔵トレイに印刷用紙がセットされていない場合（Ｓ２４０のＮＯ）には、内蔵トレイ検出フラグＦがＯＦＦに設定される（Ｓ２４４）。そして、装置状態判定サブルーチンの処理が終了する。
【００７３】
また、Ｓ２３２で第２センサ２５の検出結果が変化していない場合（Ｓ２３２のＮＯ）には、内蔵トレイの検出に応じた経過時間に所定の時間が加算される（Ｓ２４６）。つまり、内蔵トレイのＯＮ状態の経過時間若しくは、内蔵トレイのＯＦＦ状態の経過時間に所定の時間が加算される。そして、装置状態判定サブルーチンの処理が終了する。
【００７４】
装置状態判定サブルーチンの処理が終了すると、図１６のメインルーチンに戻り、１分以内にＯＮ状態に変化したフラグが存在するか否かが、ＣＰＵ１２によって判断される（Ｓ１０４）。そして、１分以内にＯＮ状態に変化したフラグが存在する場合（Ｓ１０４のＹＥＳ）には、マップデータに基づいて、ＯＮ状態のフラグに応じた実行可能な処理があるか否かが、ＣＰＵ１２によって判断される（Ｓ１０６）。
【００７５】
ＯＮ状態のフラグに応じた実行可能な処理がある場合（Ｓ１０６のＹＥＳ）には、その実行可能な処理の特定に用いられたＯＮ状態のフラグは、全て１分以内にＯＮ状態とされたものであるか否かが、ＣＰＵ１２によって判断される（Ｓ１０８）。ＯＮ状態のフラグは、全て１分以内にＯＮ状態とされたものである場合（Ｓ１０８のＹＥＳ）には、実行可能な処理が、実行対象の処理として決定される（Ｓ１１０）。そして、その実行対象の処理に応じた処理実行画面がディスプレイ１６に表示される（Ｓ１１２）。これにより、制御プログラム５０の処理が終了する。
【００７６】
また、Ｓ１０８で実行可能な処理の特定に用いられたＯＮ状態のフラグは、全て１分以内にＯＮ状態とされたものでない場合（Ｓ１０８のＮＯ）には、そのＯＮ状態とされてから１分以上経過したフラグは、フラットベッドに対応した原稿検出フラグであるか否かが、ＣＰＵ１２によって判断される（Ｓ１１４）。ＯＮ状態とされてから１分以上経過したフラグは、フラットベッドに対応した原稿検出フラグである場合（Ｓ１１４のＹＥＳ）には、表示優先度が「中」とされ、実行可能な処理の選択ボタンと、原稿の置き直しを促すガイダンス１７２とが、画面構成要素に追加される（Ｓ１１６）。そして、Ｓ１２０に進む。
【００７７】
一方、ＯＮ状態とされてから１分以上経過したフラグは、フラットベッドに対応した原稿検出フラグでない場合（Ｓ１１４のＮＯ）には、表示優先度が「低」とされ、実行可能な処理の選択ボタンが画面構成要素に追加される（Ｓ１１８）。そして、Ｓ１２０に進む。次に、Ｓ１２０では、ＯＮ状態への変化が必要な対象部があるか否かが、ＣＰＵ１２によって判断される（Ｓ１２０）。つまり、マップデータに基づいて、「○○：ＯＮが必要」に応じた処理があるか否かが、ＣＰＵ１２によって判断される。
【００７８】
そして、ＯＮ状態への変化が必要な対象部がある場合（Ｓ１２０のＹＥＳ）には、現在ＯＮ状態とされているフラグは、１分以内にＯＮ状態とされたものであるか否かが、ＣＰＵ１２によって判断される（Ｓ１２２）。そして、現在ＯＮ状態とされているフラグが、１分以内にＯＮ状態とされたものである場合（Ｓ１２２のＹＥＳ）には、表示優先度が「高」とされ、ＯＮ状態への変化を促すガイダンスが画面構成要素に追加される（Ｓ１２４）。そして、Ｓ１２６に進む。一方、Ｓ１２２で、現在ＯＮ状態とされているフラグが、１分以内にＯＮ状態とされたものでない場合（Ｓ１２２のＮＯ）には、Ｓ１２４の処理がスキップされ、Ｓ１２６に進む。
【００７９】
Ｓ１２６では、全ての処理に対してＳ１２２の判断が行われたか否かが、ＣＰＵ１２によって判断される（Ｓ１２６）。そして、全ての処理に対してＳ１２２の判断が行われていない場合（Ｓ１２６のＮＯ）には、Ｓ１２２に戻る。一方、全ての処理に対してＳ１２２の判断が行われている場合（Ｓ１２６のＹＥＳ）には、表示優先度にしたがって、画面構成要素を含む画面が、ディスプレイ１６に表示される（Ｓ１２８）。
【００８０】
続いて、Ｓ１２８でディスプレイ１６に表示された画面において、選択ボタンが操作されたか否かが、ＣＰＵ１２によって判断される（Ｓ１３０）。Ｓ１２８でディスプレイ１６に表示された画面において、選択ボタンが操作されていない場合（Ｓ１３０のＮＯ）には、Ｓ１０２に戻る。一方、選択ボタンが操作されている場合（Ｓ１３０のＹＥＳ）には、操作された選択ボタンに応じた処理が、実行対象の処理として決定される（Ｓ１３２）。そして、その実行対象の処理に応じた処理実行画面がディスプレイ１６に表示される（Ｓ１１２）。これにより、制御プログラム５０の処理が終了する。
【００８１】
また、Ｓ１２０で、ＯＮ状態への変化が必要な対象部がない場合（Ｓ１２０のＮＯ）には、Ｓ１２８に進む。また、Ｓ１０６でＯＮ状態のフラグに応じた実行可能な処理がない場合（Ｓ１０６のＮＯ）には、Ｓ１２０に進む。また、Ｓ１０４で１分以内にＯＮ状態に変化したフラグが存在しない場合（Ｓ１０４のＮＯ）には、ディスプレイ１６にメニュー画面７０が表示される（Ｓ１３６）。そして、Ｓ１０２に戻る。
【００８２】
なお、Ｓ１１２を実行するＣＰＵ１２は、第１表示制御手段の一例である。Ｓ１３６を実行するＣＰＵ１２は、第２表示制御手段の一例である。
【００８３】
なお、本発明は、上記実施形態に限定されるものではなく、当業者の知識に基づいて種々の変更、改良を施した種々の態様で実施することが可能である。具体的には、上記実施形態では、対象処理として、コピー処理、メディア印刷処理、スキャンｔｏメディア処理が採用されているが、スキャンｔｏＰＣ処理、スキャンｔｏＥｍａｉｌ処理、スキャンｔｏＦＴＰ処理、ファックス処理等の種々の処理を採用することが可能である。このような場合には、対象部として、ネットワークＩ／Ｆ３２、電話回線接続部３６等を採用することが可能である。
【００８４】
また、上記実施形態では、ＣＰＵ１２によって図１６乃至図２０に示す処理が実行される例を説明したが、これら処理は、ＣＰＵ１２に限らず、ＡＳＩＣや他の論理集積回路により実行されてもよいし、これら処理が、ＣＰＵ等やＡＳＩＣ、他の論理集積回路が協働することにより実行されてもよい。
【符号の説明】
【００８５】
１０  ＭＦＰ（画像処理装置）
１２：ＣＰＵ（制御部）（コンピュータ）
１６：ディスプレイ（表示部）
２０  記録部
２２  読取部
２４  第１センサ（第１検出部）
２５  第２センサ（第１検出部）
２６  第３センサ（第２検出部）
２８  第４センサ（第２検出部）
３０：ＵＳＢ用Ｉ／Ｆ（接続部）
５０：制御プログラム
５４：ＵＳＢメモリ（記憶装置）
【図１】
0006464821.tif 000002
【図２】
0006464821.tif 000003
【図３】
0006464821.tif 000004
【図４】
0006464821.tif 000005
【図５】
0006464821.tif 000006
【図６】
0006464821.tif 000007
【図７】
0006464821.tif 000008
【図８】
0006464821.tif 000009
【図９】
0006464821.tif 000010
【図１０】
0006464821.tif 000011
【図１１】
0006464821.tif 000012
【図１２】
0006464821.tif 000013
【図１３】
0006464821.tif 000014
【図１４】
0006464821.tif 000015
【図１５】
0006464821.tif 000016
【図１６】
0006464821.tif 000017
【図１７】
0006464821.tif 000018
【図１８】
0006464821.tif 000019
【図１９】
0006464821.tif 000020
【図２０】
0006464821.tif 000021